(57)【要約】【課題】剃刀の運行がスムーズでありマッサージ効果にも優れ、またひげ剃り接線角度を一定に維持し、快適で安定したひげ剃りを可能にする剃刀を提供する。【解決手段】少なくとも、１枚以上の刃体と、突出部を有する保護部材と、キャップ部材と、刃台を備える剃刀において、刃体の前方に並設された前、中、後の３個の突出部は少なくともその１部がそれぞれひげ剃り接線上に位置し、基端部の前方端に向け傾斜する突出部の前面部は、前突出部の傾斜度を最小とし、中突出部の傾斜度を中程度とし、後突出部の傾斜度を中程度あるいは最大とし、ひげ剃り時に前突出部、中突出部、後突出部の順序で皮膚が突出部に接触する。またひげ剃り接線と接触する突出部における接触長は、前突出部の接触長を最も短くし、中突出部の接触長を中程度とし、後突出部の接触長を中程度あるいは最長とする。【選択図】図８
2005169023.tif 000002
【特許請求の範囲】
【請求項１】
少なくとも、１枚以上の刃体と、突出部を有する保護部材と、キャップ部材と、刃台を備える剃刀において、刃体の前方に並設された前、中、後の３個の突出部は少なくともその１部がそれぞれひげ剃り接線上に位置し、基端部の前方端に向け傾斜する突出部の前面部は、前突出部の傾斜度を最小とし、中突出部の傾斜度を中程度とし、後突出部の傾斜度を中程度あるいは最大とし、ひげ剃り時に前突出部、中突出部、後突出部の順序で皮膚が突出部に接触する保護部材を備えた剃刀。
【請求項２】
ひげ剃り接線と接触する突出部における接触長は、前突出部の接触長を最も短くし、中突出部の接触長を中程度とし、後突出部の接触長を中程度あるいは最長とした請求項１に記載の保護部材を備えた剃刀。
【請求項３】
突出部の基部は上面と下面がひげそり接線とほぼ同じ角度で傾斜する傾斜面であり、上面から前突出部、中突出部、後突出部が基部と一体に立設されている請求項１または２に記載の保護部材を備えた剃刀。
【請求項４】
後突出部および／または突出部の基部は後端面が後壁により保持されている請求項３に記載の保護部材を備えた剃刀。
【発明の詳細な説明】
【技術分野】
【０００１】本発明は剃刀、特に保護部材を備えた剃刀にかんする。
【背景技術】
【０００２】剃刀に配設された保護部材は、剃刀を皮膚に当てがったとき刃先直前の皮膚（例えば皺等）を伸長して刃先が食い込むのを防止したり、ひげを起立させる等の機能をもっている。ゴム質の熱可塑性エラストマ樹脂製の保護部材は滑り抵抗が比較的に大きく、濡れた皮膚を確実に伸長する。またその感触もよい。しかし一方、熱可塑性エラストマ樹脂は撓みやすく、皮膚との接触による撓みがひげ剃り接線角度を不安定にするおそれがある。ひげ剃り接線角度はひげ剃り時、常に一定であることが肝要である。ひげ剃り接線角度はかみそりの切れ味（ソフトな切れ味かハードな切れ味か、また深剃りが可能か、深剃りを避けた安全性重視の剃りとするか等）等に大きく関係しているからである。
【特許文献】特許文献は特許第２８０９７７９号、特開昭５２−３７１５４号公報がある。
【発明の開示】
ひげ剃り時、保護部材の突出部に皮膚が接触する。皮膚と突出部が接触する際に生じる抵抗力（以下これを「接触抵抗力」という）は快適なひげ剃りの達成度に関係する。接触抵抗力が小さいとひげ剃り接線上を移動する皮膚が突出部と比較的にスムーズに接触し、剃刀の運行が安定する。一方、突出部は皮膚との接触により刃先直前の皮膚や皺を伸長したり、皮膚に好適な刺激を与える（以下これを「マッサージ効果」という）。一般的に接触抵抗力が大きいとマッサージ効果は顕著となる。しかし接触抵抗力が大きくすぎると突出部（熱可塑性エラストマ樹脂）は撓みやすくなり、ひげ剃り接線角度が不安定となる。ひげ剃り時、皮膚は前突出部、中突出部、後突出部に順次、接触するが、本発明は、それぞれの接触抵抗力を適宜に設定し、剃刀の運行がスムーズでありマッサージ効果にも優れ、またひげ剃り接線角度を一定に維持し、快適で安定したひげ剃りを可能にした。
【発明が解決しようとする課題】
【０００３】本発明は、剃刀の運行がスムーズであってマッサージ効果にも優れ、快適で安定したひげ剃りを可能にする剃刀を提供するものである。
【課題を解決するための手段】
【０００４】この課題を解決するため本発明は次のような手段を採用する。すなわち少なくとも、１枚以上の刃体と、突出部を有する保護部材と、キャップ部材と、刃台を備える剃刀において、刃体の前方に並設された前、中、後の３個の突出部は少なくともその１部がそれぞれひげ剃り接線上に位置し、基端部の前方端に向け傾斜する突出部の前面部は、前突出部の傾斜度を最小とし、中突出部の傾斜度を中程度とし、後突出部の傾斜度を中程度あるいは最大とし、ひげ剃り時に前突出部、中突出部、後突出部の順序で皮膚が突出部に接触する。
【０００５】またひげ剃り接線と接触する突出部における接触長は、前突出部の接触長を最も短くし、中突出部の接触長を中程度とし、後突出部の接触長を中程度あるいは最長とする。そして突出部の基部は上面と下面がひげそり接線とほぼ同じ角度で傾斜する傾斜面であり、上面から前突出部、中突出部、後突出部が基部と一体に立設されている。この場合、後突出部および／または突出部の基部は後端面が後壁により保持されている。
【発明の効果】
【０００６】本願発明によれば、ひげ剃り時、ひげ剃り接線上にある保護部材の突出部に皮膚が接触するが、前突出部、中突出部、後突出部の接触抵抗力の調整により、快適で安定したひげ剃りが可能となる。剃刀の運行はスムーズであり、マッサージ効果も顕著である。
【発明を実施するための最良の形態】
【０００７】本発明の実施の形態について説明する。剃刀ヘッド１はキャップ部材２、刃台３、刃体５、スペーサ６を有し、刃台３とキャップ部材２との間に重ね合わせた刃体５とスーサ６が挟持されている。剃刀ヘッド１は３枚の刃体５で構成される３枚刃剃刀であるが、刃体５は１枚でもよく、また４枚、５枚の刃体  からなる４枚刃の剃刀、５枚刃の剃刀でもよい（図示せず）。刃体５、５間に介在するスペーサ６は間隔保持部１１と、複数の間隔保持部を互いに連結する連結部１２を有し、刃体５、５間にひげかすを排除するひげかす排出路１３を形成している。保護部材１０の前方、つまりキャップ部材２の表面側の前部には回転可能なローラ７が配設され、ひげ剃り時に皮膚と接触しローラ７が回転する。なお１４はキャップ部材２に装着されたスムーサである。【０００８】刃先９の前方には保護部材１０が配設されている。保護部材１０は既に公知の種々の素材等により形成されるが、以下に述べる保護部材は熱可塑性エラストマ樹脂製である。保護部材１０は刃先９の長手方向に並設された３個の突出部３０を有する。突出部３０は前方から後方へ前、中、後の順序で並設され、ほぼ等間隔で配置されている。基部の上面５１から立設された突出部３０は基部５０と一体に形成される。３個の突出部３０の基端部の厚み、つまり基端部における前方端３１と後方端３２との間の長さはいずれもほぼ同じである。また３個の突出部の高さもそれぞれほぼ同じであり、突出部の高さ（最高部の高さ）は基端部の厚みのほぼ半分とするのがよい。突出部３０は上面５１から盛り上がったこぶ型状であり、頂部がとがったとんがり状のものはない（但し後突出部３０ｃはこぶ型状の変形であり、この点については後述する）。【０００９】ひげ剃り時にキャップ部材２の皮膚に接触する表面と保護部材の皮膚に接触する表面を結ぶ想像線がひげ剃り接線Ｙ−Ｙであり、ひげ剃り接線Ｙ−Ｙと刃体５の厚みの中心線Ｚ−Ｚとにより形成されるのがひげ剃り接線角度Ｄである。理論的にはひげ剃り時に皮膚がほぼひげ剃り接線上を移動（刃先との相対的な移動）するとともにひげ剃りがなされる。【００１０】突出部３０は少なくともその１部、通常は突出部の上側面の１部がひげ剃り接線上に位置する。そこでひげ剃り時、皮膚は前突出部３０ａ、中突出部３０ｂ、後突出部３０ｃの順序で突出部３０に接触する。すなわち３個の突出部３０と時間的にもまた距離（長さ）的にもほぼ同じ間隔で順次、皮膚と接触するが、３個の突出部３０が有機的に関連する１セットの装置のように機能し、ひげ剃り接線角度を一定に維持する一方、熱可塑性エラストマ樹脂の特質を活かす構造となっている。【００１１】突出部の前面部３３は少なくとも接点Ｔの近接部分が弧状である。突出部３０と皮膚との接触には１点のみで接触する点状接触と、一定の長さで接触する線状接触とがある。点状接触の場合はひげ剃り接線との接点Ｔが特定されるが、線状接触の場合はひげ剃り接線との接触部分のうち、最も前方にある接点Ｔを基準とする（以下、特に説明がない場合、接点Ｔの意義は同じである）。接点Ｔの近接部分とは、接点Ｔを基準として、傾斜する前面部３３の表面の形成線、つまり図８の断面形状における突出部の接点Ｔと���端部の前方端３１との間の長さ（「前面部の全長」）のうち、接点Ｔから前面部の全長のほぼ１／３の長さに相当する部分を指す。図８でいえば、突出部３０の縦断面形状における線分Ｔ−Ｋ間の範囲である。これは、皮膚が接点Ｔに向けてひげ剃り接線上を前方から移動（相対的移動）するとき、皮膚が比較的に接触し易い部位である。接点Ｔの近接部分が弧状であるから、ひげ剃り接線上を移動する皮膚は突出部３０と比較的スムーズに接触することができる。すなわち突出部３０との接触抵抗力を緩和し、剃刀のスムーズな運行が促進される。【００１２】接点Ｔの近接部分の弧状の度合いは、接点Ｔと、接点Ｔの近接部分を定める点Ｋとを結ぶ直線の傾斜度によって判定することができる。突出部３０における接点Ｔの近接部分の弧状の度合いは、前突出部３０ａが最小であり最も緩やかな弧状となり、中突出部３０ｂが中程度、つまり少なくとも前突出部３０ａのそれより大きい。後突出部３０ｃの弧状の度合いは中程度か、あるいは３個の突出部のうち最も大きくすることができる。図８に示されるのは、前突出部３０ａの弧状の度合いが最も小さく、中突出部３０ｂと後突出部３０ｃは弧状の度合いがほぼ同じであり、前突出部３０ａのそれより大きく、つまりいずれも中程度である。なお本文において突出部３０の属性の度合いを説明する「大、中、小」等の語はいずれも基本的には３つの突出部間における相対的な比較である。【００１３】突出部３０の弧状の度合いは皮膚が突出部３０と接触する場合の接触抵抗力に関係する。前突出部３０ａは弧状の度合いが最も小さく（その弧状面は最も緩やかであり）、従って皮膚との接触抵抗力は最も小さい。中突出部３０ｂと後突出部３０ｃは弧状の度合いが前突出部３０ａのそれより大きく、皮膚との接触抵抗力はかなり大きい。これを効果面でみると、剃刀の運行については接触抵抗力の小さい突出部３０ａが最もスムーズとなり、皮膚へのマッサージ効果等については接触抵抗力の大きい突出部３０ｂと突出部３０ｃが顕著となる。【００１４】突出部３０は前面部３３が傾斜面となっている。すなわち接点Ｔを基準とし、接点Ｔより前方の前面部３３が基端部の前方端３１に向け傾斜している。基端部の前方端３１への傾斜面であるから、前面部３３はいずれの部位も基端部の前方端３１より後方に位置する（図８参照）。この条件を満たせば前面部３３は表面の形成線が全体的に弧状でも部分的に弧状もよい。また部分的に直線でもよい。【００１５】突出部の前面部３３の傾斜度については、前突出部３０ａの傾斜度が最も小さく、緩やかな傾斜面である。中突出部３０ｂの傾斜度は中程度であり、かなり険しい傾斜面である。後突出部３０ｃの傾斜度は中突出部の傾斜度と同じ中程度である。傾斜度を最も大きくした険しい傾斜面とすることもできる。突出部の前面部３３の傾斜度は、基端部の前方端３１とひげ剃り接線との接点Ｔとを結ぶ直線の傾斜度、つまり上面５１と当該直線との角度により判定することができる。前面部３３の傾斜度は皮膚と突出部３０との接触抵抗力に関係する。すなわち前突出部３０ａは皮膚との接触抵抗力が最も小さく、中突出部３０ｂと後突出部３０ｃは皮膚との接触抵抗力がかなり大きい。効果面でみると、剃刀���運行については突出部３０ａが最もスムーズとなり、皮膚へのマッサージ効果等については突出部３０ｂと突出部３０ｃが大きい。【００１６】保護部材１０の前方、特に前突出部３０ａの前方にはローラ７との間に生じたスペースがある。前突出部３０ａの前方が解放状態であるから、前突出部３０ａの前面部３３は皮膚とより接触しやすい。なおローラを設けない場合も前面部の前方を解放状態とすることができる（図示せず）。解放状態のスペースと相まって、最前の前突出部３０ａに皮膚が接触するとき、剃刀のスムーズな運行が可能となる。【００１７】前記のように、突出部３０はひげ剃り接線との接触の態様として点状接触と線状接触がある。突出部３０の１部（通常は上面側）がひげ剃り接線と接触する接触長については、前突出部３０ａが最小、中突出部３０ｂが中程度、すなわち少なくとも前突出部３０ａの接触長より長い、後突出部３０ｃが中程度かあるいは最大にすることができる。接触長は点状接触も含むから、前突出部３０ａを点状接触としてもよい。図８に示されるのは、前突出部３０ａが最小の線状接触をし、中突出部３０ｂはやや平坦状の上面が中程度の線状接触をし、後突出部３０ｃは平坦状の上面が最大の線状接触をしている。【００１８】突出部３０の接触長は皮膚と突出部３０との接触抵抗力に関係する。すなわち接触長が最小の前突出部３０ａは皮膚との接触抵抗力が最も小さく、中突出部３０ｂと後突出部３０ｃは皮膚との接触抵抗力がかなり大きい。後突出部３０ｃの接触長が最大のときは、皮膚との接触抵抗力が最大となる。効果面でみると、剃刀の運行については突出部３０ａが最もスムーズとなり、皮膚へのマッサージ効果等については突出部３０ｂと突出部３０ｃが大きい。【００１９】前突出部３０ａ、中突出部３０ｂはいずれもひげ剃り接線との接点ｔより後方の後面部３５が基端部の後端３２に向けた傾斜面であり、特に、接点ｔの近接部分を弧状とした皮膚の逃がし面５７が形成されている。線状接触の場合は、ひげ剃り接線との接触部分のうち最も後方にある接点ｔが基準となる。ひげ剃り接線に沿い移動する皮膚は、前突出部３０ａと中突出部３０ｂの接点ｔを通過するとともに逃がし面５７の後方へ移動する。このとき逃がし面５７が皮膚との接触抵抗力を小さくするとともに、熱可塑性エラストマ樹脂の突出部３０ａ、３０ｂ、特に接点ｔの近接部分が後方へ撓むのを防止する。逃がし面５７は直線状の傾斜面でもよいが、弧状とするのがよい。【００２０】後突出部３０ｃにおいては、ひげ剃り接線との接点Ｔ（最も前方の接点）の後方は平坦状の上面がほぼひげ剃り接線に沿って後端面５３へ延びている。平坦状の上面は全体がひげ剃り接線と接触している（図８参照）が、常に全体が剃り接線と接触している必要はない。いずれの場合も、ひげ剃り接線との接触長を最大とする等、皮膚との接触範囲を拡大することができる。皮膚との接触抵抗力も最大となるが、後突出部３０Ｃの後端面５３は保護部材１０を載置する基台５５から上方に立設された後壁５６に保持されており、後壁５６が後突出部３０Ｃの撓み、特に後方への変形を防止している。後突出部の後端面５３は全面が後壁５６に保持されたものが好ましい（図８参照）。【００２１���基部５０の上面５１と下面５２はひげそり接線とほぼ同じ角度で傾斜する傾斜面であり、また基部５０の厚み（上面５１、下面５２間の厚み）はほぼ同じである。剃刀の移動により保護部材１０が受ける移動方向の力は１部が基部に沿い後方へ作用するが、基部５０の後端面５３は基台５５から立設された後壁５６により保持されており、基部５０の変形が防止される。【００２２】以上みたように、接触抵抗力は前突出部３０ａが最も小さく、前中突出部３０ｂと後突出部３０ｃが前突出部３０ａより大きい。ひげ剃り時、前突出部３０ａ、中突出部３０ｂ、後突出部３０ｃの順序で皮膚が突出部３０に接触するが、接触抵抗力の大きさの違いにより、剃刀はまず最前の突出部にスムーズに接触（進入時のスムーズな運行の確保）するとともに、次に続く２つの突出部により大きなマッサージ効果を得ることができる。
【図面の簡単な説明】
【００２３】
【図１】本発明にかかる剃刀における保護部材を備える剃刀ヘッドの平面図である。
【図２】同剃刀ヘッドの正面図である。
【図３】同剃刀ヘッドの底面図である。
【図４】同剃刀ヘッドの背面図である。
【図５】図２の剃刀ヘッドのＡ−Ａ線拡大断面図である。
【図６】ひげ剃り接線角度を示す剃刀ヘッドの拡大断面図である。
【図７】破断された保護部材の拡大断面図である。
【図８】さらに拡大された保護部材の説明図である。
【符号の説明】
【００２４】  １  剃刀ヘッド
２  キャップ部材
３  刃台
５  刃体
７  ローラ
１０  保護部材
３０  突出部
３３  前面部
３５  後面部
５０  基部
５３  後端面
５６  後壁
【図１】
2005169023.tif 000003
【図２】
2005169023.tif 000004
【図３】
2005169023.tif 000005
【図４】
2005169023.tif 000006
【図５】
2005169023.tif 000007
【図６】
2005169023.tif 000008
【図７】
2005169023.tif 000009
【図８】
2005169023.tif 000010